(57)【要約】【課題】使用者に対して、透過型表示手段を通じて適切に表示情報を提供できるようにする。【解決手段】  透過型ディスプレイ３０６には、ディスプレイコントローラ３０５により案内情報などの種々のコンテンツが表示されるが、当該透過型ディスプレイ３０６の背面の全面には、調光ガラス３１０が設けられており、この調光ガラス３１０を透過する光の量が、調光ガラスコントローラ３０９により制御される。この場合、調光ガラス３１０の調光を制御するための調光制御情報が、表示されるコンテンツに応じて情報提供サービスサーバー装置１の調光制御情報生成部において生成され、調光ガラスコントローラ３０９で用いられる。【選択図】図１
2019184962.tif 000002
【特許請求の範囲】
【請求項１】
透過型表示手段と、
前記透過型表示手段にコンテンツを表示するように制御する表示制御手段と、
前記透過型表示手段の背面側に設けられ、透過する光の量を調整する調光手段と、
前記調光手段を制御する調光制御手段と、
前記表示制御手段により前記透過型表示手段に表示されるコンテンツに応じて、前記調光制御手段が前記調光手段を制御するための制御情報を形成する制御情報生成手段と
を備えることを特徴とするコンテンツ表示装置。
【請求項２】
請求項１に記載のコンテンツ表示装置であって、
外的要因に関する情報を取得する取得手段を備え、
前記制御情報生成手段は、前記透過型表示手段に表示される前記コンテンツに加えて、前記取得手段で取得される前記外的要因に関する情報を考慮して、前記調光手段を制御するための前記制御情報を生成する
ことを特徴とするコンテンツ表示装置。
【請求項３】
請求項２に記載のコンテンツ表示装置であって、
前記取得手段は、現在位置取得手段と、現在時刻取得手段と、外光強度取得手段と、移動速度取得手段と、気象情報取得手段と、当該コンテンツ表示装置の向きの検出手段との１つ以上を
含むことを特徴とするコンテンツ表示装置。
【請求項４】
請求項１に記載のコンテンツ表示装置であって、
表示装置とサーバー装置とがネットワークを通じて接続されて構成され、
前記表示装置は、
前記透過型表示手段と、前記表示制御手段と、前記調光手段と、前記調光制御手段とを備えると共に、
前記透過型表示手段に表示する前記コンテンツを生成するために必要となるコンテンツ生成用情報を、前記サーバー装置に送信する端末側送信手段と、
前記サーバー装置から送信されて来る前記コンテンツと前記制御情報とを受信する端末側受信手段と
を備え、
前記サーバー装置は、
前記表示装置からの前記コンテンツ生成用情報を受信するサーバー側受信手段と、
前記サーバー側受信手段で受信した前記コンテンツ生成用情報に応じて、前記表示装置の前記透過型表示手段に表示すべき前記コンテンツを生成するコンテンツ生成手段と、
前記制御情報生成手段と、
前記コンテンツ生成手段で生成された前記コンテンツと前記制御情報生成手段で生成された前記制御情報とを、前記表示装置に送信するサーバー側送信手段と
を備えることを特徴とするコンテンツ表示装置。
【請求項５】
表示装置とコンテンツ提供サーバー装置とがネットワークを通じて接続されて構成されるコンテンツ提供システムの前記コンテンツ提供サーバー装置であって、
前記表示装置は、透過型表示手段と、前記透過型表示手段にコンテンツを表示するように制御する表示制御手段と、前記透過型表示手段の背面側に設けられ、透過する光の量を調整する調光手段と、前記調光手段を制御する調光制御手段と、前記透過型表示手段に表示する前記コンテンツを生成するために必要となるコンテンツ生成用情報を、前記サーバー装置に送信する端末側送信手段と、前記サーバー装置から送信されて来る前記コンテンツと前記制御情報とを受信する端末側受信手段とを備えるものであり、
前記表示装置からの前記コンテンツ生成用情報を受信するサーバー側受信手段と、
前記サーバー側受信手段で受信した前記コンテンツ生成用情報に応じて、前記表示装置の前記透過型表示手段に表示すべき前記コンテンツを生成するコンテンツ生成手段と、
前記コンテンツ生成手段により生成され、前記表示装置の前記透過型表示手段に表示される前記コンテンツに応じて、前記表示端末の前記調光制御手段が前記調光手段を制御するための制御情報を形成する制御情報生成手段と、
前記コンテンツ生成手段で生成された前記コンテンツと前記制御情報生成手段で生成された前記制御情報とを、前記表示装置に送信するサーバー側送信手段と
を備えることを特徴とするコンテンツ提供サーバー装置。
【請求項６】
透過型表示手段と、前記透過型表示手段の背面側に設けられ、透過する光の量を調整する調光手段とを備えたコンテンツ表示装置において実行される調光制御方法であって、
前記透過型表示手段に表示されるコンテンツに応じて、前記調光手段を制御する制御工程を有することを特徴とする調光制御方法。
【請求項７】
請求項６に記載の調光制御方法であって、
外的要因に関する情報を取得する取得工程を備え、
前記制御工程においては、前記透過型表示手段に表示される前記コンテンツに加えて、前記取得工程において取得した前記外的要因に関する情報を考慮して、前記調光手段を制御する
ことを特徴とする調光制御方法。
【請求項８】
請求項７に記載の調光制御方法であって、
前記取得工程においては、現在位置と、現在時刻と、外光強度と、移動速度と、気象情報と、当該コンテンツ表示装置の向きとの１つ以上を検出することを特徴とする調光制御方法。
【発明の詳細な説明】
【技術分野】
【０００１】
この発明は、例えば、移動している使用者（ユーザー）に対して、観視可能な景色等の情報と共に種々の情報を提供できるようにする装置及び方法に関する。
【背景技術】
【０００２】
後に記す特許文献１には、バスや列車などの車両の窓ガラスに、現在位置に基づき、現実の風景に合わせて地名、河川名、山岳名、店舗名などのナビゲーション画面を表示する車載用画像表示装置等に関する発明が開示されている。また、後に記す特許文献２には、移動体の位置情報と窓からの視野を用いて、表示するオブジェクトを特定し、窓から見える景色に当該オブジェクトを重畳するように当該窓に設けられた表示装置に表示するオブジェクト表示システム等に関する発明が開示されている。また、後に記す特許文献３には、移動体の窓ガラスとして調光ガラスを用い、当該移動体の現在位置と速度を検出して、特定領域に属し、速度がゼロの場合に、音声信号に応じて調光ガラスを調整する車両制御装置等に関する発明が開示されている。
【先行技術文献】
【特許文献】
【０００３】
【特許文献１】特開２００４−２０２３３号公報
【特許文献２】特開２０１１−２２７４６９号公報
【特許文献３】特開２００８−１３７６４２号公報
【発明の概要】
【発明が解決しようとする課題】
【０００４】
上述したように、特許文献１、２に開示された発明は、移動体の窓に設けられた表示装置に情報を表示するものである。しかし、外光が強いなどのように移動体の位置における外部環境の影響により、移動体の窓に設けられた表示装置に表示される情報が使用者にとって見難くなったり、見えなくなったりする場合があると考えられる。そこで、特許文献３に開示された発明のように、移動体の窓に調光ガラスを用いることにより、情報を表示する場合には、透過する光を遮断して、表示された情報を見やすくすることが考えられる。
【０００５】
しかし、特許文献３に開示された発明は、自動車において音楽を楽しむ場合に、これに適した表示をウィンドウに行うものであり、停車時の使用を想定している。このため、移動時において窓から現に見える景色などと共に提供すべき案内情報などを表示することは想定されていない。すなわち、特許文献３に記載の発明の場合には、移動しながら使用する場合において、表示すべき案内情報などに応じて適切な調光制御を行うことはできないものである。
【０００６】
以上のことに鑑み、この発明は、例えば、移動している使用者に対して、透過型表示手段を通じて適切に表示情報を提供できるようにすることを目的とする。
【課題を解決するための手段】
【０００７】
上記課題を解決するため、請求項１に記載の発明のコンテンツ表示装置は、
透過型表示手段と、
前記透過型表示手段にコンテンツを表示するように制御する表示制御手段と、
前記透過型表示手段の背面側に設けられ、透過する光の量を調整する調光手段と、
前記調光手段を制御する調光制御手段と、
前記表示制御手段により前記透過型表示手段に表示されるコンテンツに応じて、前記調光制御手段が前記調光手段を制御するための制御情報を形成する制御情報生成手段と
を備えることを特徴とする。
【発明の効果】
【０００８】
この発明によれば、透過型表示手段に入射する外光を適切に制御することで、使用者に対して、当該透過型表示手段を通じて適切に観視可能な状態で表示情報を提供できる。
【図面の簡単な説明】
【０００９】
【図１】実施の形態のコンテンツ表示装置の概要について説明するための図である。
【図２】移動体設置型の表示端末を用いて構成されるコンテンツ表示装置について説明するための図である。
【図３】情報提供サービスサーバー装置の構成例を説明するためのブロック図である。
【図４】移動体設置型の表示端末の構成例を説明するためのブロック図である。
【図５】移動体設置型の表示端末の表示モジュールについて説明するための図である。
【図６】移動体設置型の表示端末における表示例について説明するための図である。
【図７】移動体設置型の表示端末における表示例について説明するための図である。
【図８】携帯端末型の表示端末について説明するための図である。
【図９】表示端末で行われる処理について説明するためのフローチャートである。
【図１０】サーバーで行われる処理について説明するためのフローチャートである。
【図１１】調光制御データの生成処理を説明するためのフローチャートである。
【図１２】この発明のコンテンツ表示装置をナビゲーション装置に適用した場合の例について説明するための図である。
【図１３】図１２のナビゲーション装置における表示例について説明するための図である。
【発明を実施するための形態】
【００１０】
以下、図を参照しながらこの発明によるコンテンツ表示装置、コンテンツ提供サーバー装置、調光制御方法の実施の形態について説明する。
【００１１】
［コンテンツ表示装置の概要］
図１は、実施の形態のコンテンツ表示装置の概要について説明するための図である。コンテンツ表示装置は、単体の装置として構成することもできる。しかし、この実施の形態のコンテンツ表示装置は、情報提供サービスサーバー装置（以下、サーバーと記載する。）１と表示端末３とが、ＩｏＴ（Internet of Things）プラットホーム２を通じて接続されることにより形成される、システムの構成とされたものである。
【００１２】
表示端末３は、利用者によって直接に使用されるものであり、透過型ディスプレイ３０６の背面側に調光ガラス３１０を備えたものである。そして、ディスプレイコントローラ３０５が透過型ディスプレイ３０６への静止画像や動画像の表示を制御し、調光ガラスコントローラ３０９が調光ガラス３１０における調光を制御する。透過型ディスプレイ３０６は、当該ディスプレイ上に情報を表示しつつ、そのディスプレイの向こう側が透けて見える構造のものであり、例えば、有機エレクトロルミネッセンスディスプレイ（organic electro-luminescence display）などにより構成される。
【００１３】
調光ガラス３１０は、電気信号などの外部信号によって透過する光の量（光の透過率）を調整することができるガラスである。調光ガラス３１０は、例えば、外部からの刺激で色通過率などの光物性が可逆的に変わるクロミズムを用いたり、液晶などの材料とガラスを組み合わせたりして、透過する光の量を調整できるものである。この実施の形態の調光ガラス３１０は、調光ガラスコントローラ３０９の制御に応じて、例えば、光の透過率を１００％、９０％、８０％、７０％、…、０％のように、目的とする透過率に制御可能なものである。
【００１４】
ＩｏＴプラットホーム２は、インターネット、携帯電話網、一般公衆電話網、無線ＬＡＮ（Local Area Network）などを含み、これに接続された機器が、相互に通信を行うことができる環境を提供する。ＩｏＴプラットホーム２を通じては、インターネットを実現しているネットワーク・プロトコルであるＩＰ（Internet Protocol）を用いて通信を行うことができる。このため、ＩｏＴプラットホーム２を通じては、各機器はＩＰアドレスを用いることにより、自機の所在を通信の相手先に知らせ、また、通信の相手先を特定できる。
【００１５】
サーバー１は、表示端末３から提供される情報に基づいて、表示端末３に提供する案内情報などを生成し、これを表示端末３に提供する。具体的に、サーバー１で生成される案内情報は、表示端末３の透過型ディスプレイ３０６及び調光ガラス３１０を透過して現に見えている景色（風景）や地物に関する情報や目的とする地物等のある方向を示す情報などである。この他にも広告情報やテレビ番組や映画などの映像コンテンツなど種々の情報の提供が可能である。
【００１６】
また、サーバー１は、調光ガラス３１０を制御するための調光制御情報を生成し、これを表示端末３に提供する。この場合、サーバー１は、表示端末３の透過型ディスプレイ３０６に表示する情報（コンテンツ）に応じたり、また、表示端末３の現在位置や現在時刻などの外的要因に関する情報を考慮したりして、調光ガラス３１０の調光を制御するための調光制御情報を生成する。
【００１７】
このように、この実施の形態のコンテンツ表示装置は、サーバー１と表示端末３とが協働して、表示端末３の透過型ディスプレイ３０６及び調光ガラス３１０を通して見える景色等に応じた案内情報などを透過型ディスプレイ３０６に表示する。この場合、表示端末３はサーバー１から様々な表示情報の提供を受けることが可能であり、汎用性に富んだコンテンツ表示装置が実現できる。しかも、案内情報などを生成するのはサーバー１であり、表示端末３の負荷を大きくすることもない。
【００１８】
そして、サーバー１と表示端末３とが協働して、表示端末３の透過型ディスプレイ３０６に表示されるコンテンツや表示端末３に関わる外的要因に関する情報などに応じて、調光ガラス３１０の光の透過率を制御する。これにより、透過型ディスプレイ３０６に表示される案内情報などのコンテンツの視認性が悪くならないように制御できるようにしている。
【００１９】
なお、実施の形態のコンテンツ表示装置は、例えば、列車（電車、汽車など）、自動車（バス、タクシーを含む。）、船舶、航空機などの種々の移動体の窓に表示端末３を設けて構成する移動体設置型のコンテンツ表示装置として構成することができる。また、実施の形態のコンテンツ表示装置は、表示端末３を携帯端末型に構成して、種々の移動体に持ち込んで利用したり、利用者が手に持つなどして歩きながら利用したりする、携帯型のコンテンツ表示装置として構成することもできる。以下において、移動体設置型のコンテンツ表示装置と携帯型のコンテンツ表示装置のそれぞれの場合について説明する。
【００２０】
［移動体設置型のコンテンツ表示装置］
移動体専用のコンテンツ表示装置は、種々の移動体の窓に表示端末３を設けるようにして構成するものである。以下においては説明を簡単にするため、列車の窓に対して、上述した表示端末３に対応する移動体設置型の表示端末３Ａを設けることにより、移動体専用のコンテンツ表示装置を構成する場合を例にして説明する。
【００２１】
図２は、移動体設置型の表示端末を用いて構成されるコンテンツ表示装置について説明するための図である。図２に示すように、この例の移動体専用のコンテンツ表示装置は、サーバー１と、列車４の各車両の各窓Ｗ（１）、Ｗ（２）、…のそれぞれに対応して設けられる移動体設置型の表示端末３Ａ（１）、３Ａ（２）、…が、ＩｏＴプラットホーム２を通じて接続されて構成される。また、ＩｏＴプラットホーム２には、気象情報サーバー５、交通情報サーバー６などの種々の情報を提供するサーバーも接続されている。
【００２２】
サーバー１は、表示端末３Ａ（１）、３Ａ（２）、…のそれぞれからの情報の提供を受けて、表示端末３Ａ（１）、３Ａ（２）、…のそれぞれに提供する案内情報などを生成し、これを対応する表示端末３Ａ（１）、３Ａ（２）、…に提供する。具体的に、サーバー１で生成される情報は、列車４の各窓Ｗ（１）、Ｗ（２）、…から現に見えている景色（風景）に関する情報を含む。更に、対応する表示端末３（１）、（２）、…の現在位置を示す地図、対応する窓Ｗ（１）、Ｗ（２）、…のそれぞれを通じてこれから見える地物等の対象についての情報を含む。また、対応する窓Ｗ（１）、Ｗ（２）、…のそれぞれを通じては見えないが所定の地物等の対象の所在方向を示す情報を含む。
【００２３】
その他、サーバー１が生成して表示端末３（１）、（２）、…に提供する情報には、列車４の乗客の属性、嗜好、ＴＰＯに応じた情報なども含まれる。なお、ＴＰＯは、Time（時間）、Place（場所）、Occasion（場合）の頭文字を取って示したものである。このため、「ＴＰＯに応じた情報」は、時と場所と場合に応じた情報を意味するが、これらの内の、時間だけ、場所だけ、場合だけに応じた情報もＴＰＯに応じた情報とする。
【００２４】
また、サーバー１は、表示端末３Ａ（１）、３Ａ（２）、…のそれぞれが備える調光ガラス３１０についての調光制御のための調光制御情報を形成し、これを対応する表示端末３Ａ（１）、３Ａ（２）、…に供給する。この調光制御情報は、表示端末３Ａ（１）、３Ａ（２）、…のそれぞれごとに提供する案内情報に応じて生成される。また、この調光制御情報は、表示端末３Ａ（１）、３Ａ（２）、…のそれぞれの現在位置、現在時刻、気象情報などの外的要因に関する情報をも考慮して生成される場合もある。そして、サーバー１は、生成した調光制御情報を、対応する表示端末３Ａ（１）、３Ａ（２）、…に提供する。
【００２５】
表示端末３Ａ（１）、３Ａ（２）、…のそれぞれは、図２に示したように、列車４の各車両の各窓Ｗ（１）、Ｗ（２）、…のそれぞれごとに設けられる。したがって、図２には図示していないが、図２に示した車両の反対側の側面に設けられた窓のそれぞれに対しても、それぞれごとに表示端末３Ａ（１６）、３Ａ（１７）、…が設けられる。これら、表示端末３Ａ（１）、３Ａ（２）、…のそれぞれは、対応する窓Ｗ（１）、Ｗ（２）、…に対して配設された透過型ディスプレイ３０６、調光ガラス３１０の他、詳しくは後述するが、ＧＰＳ部、カメラ部などを備えたものである。
【００２６】
そして、表示端末３Ａ（１）、３Ａ（２）、…のそれぞれは、自機の現在位置を示す現在位置や撮影した画像情報、乗客からの指示入力お情報などをサーバー１に送信する。上述したように、サーバー１は、表示端末３Ａ（１）、３Ａ（２）、…からの情報に基づいて、案内情報などを生成し、これを対応する表示端末３Ａ（１）、３Ａ（２）、…に送信して来る。このため、表示端末３Ａ（１）、３Ａ（２）、…のそれぞれは、サーバー１からの案内情報などを受信し、これに応じた情報を、窓Ｗ（１）、Ｗ（２）、…に配設された透過型ディスプレイ３０６に表示し、乗客に提供する。
【００２７】
この場合に、表示端末３Ａ（１）、３Ａ（２）、…のそれぞれは、サーバー１からの調光制御情報を用いて、調光ガラス３１０の調光を制御する。これにより、表示端末３Ａ（１）、３Ａ（２）、…のそれぞれが備える透過型ディスプレイ３０６に表示される案内情報などのコンテンツが外光の影響を受けて見えなくなったり、見難くなったりすることを防止できるようにしている。
【００２８】
気象情報サーバー５や交通情報サーバー６などは、サーバー１が把握していない気象情報や交通情報を、サーバー１からの要求に応じてサーバー１に提供できるものである。もちろん、気象情報サーバー５や交通情報サーバー６などは、サーバー１以外の種々の相手先にも情報の提供ができるものであってよい。
【００２９】
このように、この実施の形態のコンテンツ表示装置においては、サーバー１と表示端末３Ａ（１）、３Ａ（２）、…のそれぞれとが協働し、表示端末３Ａ（１）、３Ａ（２）、…のそれぞれの透過型ディスプレイ３０６に種々のコンテンツを表示する。また、サーバー１と表示端末３Ａ（１）、３Ａ（２）、…のそれぞれとが協働し、表示端末３Ａ（１）、３Ａ（２）、…のそれぞれの調光ガラスの調光（光の透過率）を適切に制御する。これにより、表示端末３Ａ（１）、３Ａ（２）、…のそれぞれの透過型ディスプレイ３０６に表示されるコンテンツの視認性が悪くならないようにして、使用者に提供することができるようにしている。
【００３０】
以下、この実施の形態のコンテンツ表示装置を構成するサーバー１、表示端末３Ａ（１）、３Ａ（２）、…の構成例と動作について説明する。なお、図１に示したように、列車４の各車両の各窓Ｗ（１）、Ｗ（２）、…に対応して設けられる表示端末３Ａ（１）、３Ａ（２）、…のそれぞれは、同様に構成されるものである。このため、以下においては、特に区別して示す必要がある場合を除き、表示端末３Ａ（１）、３Ａ（２）、…のそれぞれを「表示端末３Ａ」と総称する。同様に、列車４の各窓Ｗ（１）、Ｗ（２）についても、特に区別して示す必要がある場合を除き「窓Ｗ」と総称する。
【００３１】
なお、図１、図２には図示しなかったが、表示端末３Ａを使用する使用者が、スマートフォンやタブレット端末を所持している場合もある。この場合、表示端末３Ａと使用者が所持するスマートフォンやタブレット端末とを有線あるいは無線により接続することによりペアリングして、スマートフォンやタブレット端末の画面に表示されているコンテンツを表示端末３Ａの透過型ディスプレイ３０６に表示するともできる。すなわち、ディスプレイコントローラ３０５を介して、外部端末からの情報（コンテンツ）を表示端末３Ａの透過型ディスプレイ３０６に表示するともできるもちろん、表示端末３Ａに表示されている情報を、使用者が所持するスマートフォンやタブレット端末の表示画面に表示することもできる。
【００３２】
［情報提供サービスサーバー装置１の構成例］
図３は、サーバー１の構成例を説明するためのブロック図である。通信インターフェース（以下、通信Ｉ／Ｆと記載する。）１０１は、ＩｏＴプラットホーム２を通じて通信を行う機能を実現する。制御部１０２は、図示しないが、ＣＰＵ（Central Processing Unit）、ＲＯＭ（Read Only Memory）、ＲＡＭ（Random Access Memory）、不揮発性メモリなどを備え、サーバー１の各部を制御する。記憶装置１０３は、例えばハードディスクなどの大容量記録媒体を備え、当該大容量記録媒体へのデータの書き込み、記憶保持、読み出し、消去などを行う。
【００３３】
そして、サーバー１は、地図ＤＢ１０４、施設ＤＢ１０５、景色画像ＤＢ１０６、地域情報ＤＢ１０７、翻訳辞書ＤＢ１０８を備える。これら地図ＤＢ１０４等における文字「ＤＢ」は「Data Base」の略称である。すなわち、地図ＤＢ１０４等は、データの蓄積・検索・更新などに便利なように有機的に整理されたデータ（情報）の集まりを意味している。
【００３４】
具体的に、地図ＤＢ１０４は、市街図、道路図、広域図、地方図、全国図を表示するための地図データを記憶する。これらの地図は、例えば、現在位置などを使用者に示すために使用される。なお、市街図、道路図、広域図、地方図、全国図を表示するための地図データは、地図を描画するための例えばベクトルデータやラスタデータ、注記（注釈）データなどを含む。
【００３５】
また、地図ＤＢ１０４は、表示端末３Ａが搭載された列車４が走行する沿線などの３Ｄ（3Dimensional）地図の地図データも記憶する。３Ｄ地図は、簡単には、２次元の地図情報に対して、更に土地の標高や建物などの地物の高さといった３次元情報を付加した地図である。２次元の地図よりもリアルに空間を表現することが可能で、山や建物などの建造物の形状などについても正確に表現することができるものである。
【００３６】
施設ＤＢ１０５は、緯度・経度により特定される種々の施設についての情報を記憶する。ここで、施設は、公共施設、観光施設、レジャー施設、宿泊施設、名所、旧跡などといったものの他、より広く、ビルディング、橋梁、タワーといったいわゆるランドマーク（目印）となる建築物、道路、山、川、海水浴場などの種々の拠点（注目する場所）などを含む。そして、施設ＤＢ１０５は、各施設の名称や、各施設がどのような施設なのか、どのような特徴を有しているかなど、各施設の詳細情報を記憶している。
【００３７】
景色画像ＤＢ１０６は、列車４の窓から見える景色の画像データを記憶する。この場合、春夏秋冬のそれぞれに応じた景色の画像データ、朝昼夕夜のそれぞれに応じた景色の画像データ、また、晴れ、曇り、雨、雪などのそれぞれの気象時に応じた景色の画像データ、縄文、弥生、奈良、…といった各時代に応じた景色の画像データなど、種々の場合の景色の画像データを記憶する。
【００３８】
地域情報ＤＢ１０７は、地域ごとに、イベントの開催情報、特産物情報、おすすめの観光スポットなどの種々の情報を記憶する。この場合の地域は、例えば、北海道、東北、関東などといったいわゆる地方、都道府県、市区町村といった行政区域、特別に設定された観光地域、商業地域、工業地域などである。
【００３９】
なお、図３には図示しないが、サーバー１は、ネットワークＤＢなども備えている。ネットワークＤＢは、道路ネットワークＤＢ、歩行者ネットワークＤＢ、交通機関ネットワークＤＢなどからなる。道路ネットワークＤＢは、主に自動車で移動する場合のルート（経路）を探索するためのものである。歩行者ネットワークＤＢは、徒歩により移動する場合のルート（経路）を探索するためのものである。交通機関ネットワークＤＢは、公共交通機関として、電車、バス、モノレール、飛行機、船舶などにより移動する場合のルート（経路）を探索するためのものである。交通機関ネットワークＤＢは、いわゆるネットワークデータの他、時刻表、料金表などの情報も記憶している。このネットワークＤＢの情報により、移動手段に応じてルートの探索などを行い、その結果を提供できる。
【００４０】
窓方向判別部１０９は、詳しくは後述する表示端末３Ａからの撮影画像情報に基づいて、窓方向を判別する。すなわち、窓方向判別部１０９は、窓が列車４の進行方向に向かって左側に設けられた窓か右側に設けられた窓かを判別する。この実施の形態において、表示端末３Ａから提供される撮影画像情報は例えば動画である。このため、窓方向判別部１０９は、時間軸方向に沿って２枚以上（２フレーム以上）の撮影画像情報のそれぞれから特徴点を抽出して、その特徴点の流れる方向を判別する。
【００４１】
これにより、窓方向判別部１０９は、撮影画像情報は進行方向に向かって左右どちら側の窓近傍のカメラによって撮影されたものかを判別する。したがって、撮影画像情報が左から右に流れていれば、当該撮影画像情報は、進行方向右側の窓近傍のカメラから撮影されたのであると判別できる。逆に、撮影画像情報が右から左に流れていれば、当該撮影画像情報は、進行方向左側の窓近傍のカメラから撮影されたのであると判別できる。窓方向判別部１０９の判別結果は、地物検出部１１１などに通知される。
【００４２】
なお、窓方向判別部１０９は、列車４の走行情報を取得し、走行位置と走行方向を特定して、撮影された地物の状況から窓方向を判別することもできる。例えば、列車４の走行情報より、進行方向の右側に山並みが見え、進行方向左側に海が見える場合、撮影画像情報が山並みを映していれば窓方向は右側、海を映していれば窓方向は左側と判別できる。なお、走行情報は、サーバー１が保持していれば、これを利用することができる。また、通信Ｉ／Ｆ１０１を通じてＩｏＴプラットホーム２に接続されている外部のサーバーから取得することもできる。
【００４３】
撮影画像特徴抽出部１１０は、撮影画像情報内の特徴物（特徴物の画像）を抽出する。例えば、撮影画像情報の連続する所定数以上（所定フレーム以上）に現れる物、撮影画像情報の各フレームにおいて、所定割合以上を占める物、などを抽出する。前者の例としては、ビルディング、タワー、橋梁、城や城郭、公園、神社仏閣、飛行場、駅舎などの種々の建造物等であり、後者の例としては、山岳、海、河川、湖沼、草原、田園など、比較的に広い範囲に及ぶ自然地形などがある。撮影画像特徴抽出部１１０での抽出結果は、地物検出部１１１に通知される。
【００４４】
地物検出部１１１は、地図ＤＢ１０４の３Ｄ地図を参照し、列車４の現在位置、より具体的には表示端末３Ａからの現在位置を基準にして、窓方向判別部１０９で判別された側（方向）に所定距離以内であって、進行方向の所定角度内の範囲の地物を検索する。ここで、所定距離は、肉眼で山岳などが見えるのであれば、その山岳を含む範囲となる。また、所定角度は、移動体である列車の例えば移動速度なども考慮し、所定の時間の間、列車の窓から見える風景の範囲となる。そして、地物検出部１１１は、地図ＤＢ１０４の３Ｄ地図の位置情報、形状情報、高さ情報などを参照し、撮影画像特徴抽出部１１０で抽出した特徴物に合致する地物を特定して、これを案内情報生成部１１２に通知する。
【００４５】
案内情報生成部１１２は、地物検出部１１１で特定した地物の属性情報を、施設ＤＢ１０５から取得し、表示端末３Ａの透過型ディスプレイ３０６に表示する案内情報を生成する。また、案内情報生成部１１２は、現在走行している路線情報から案内情報を生成することもできる。路線情報は、当該路線の走行経路、特徴、眺望の良い場所の位置情報、その他の情報を備えるものである。また、案内情報生成部１１２は、通信Ｉ／Ｆ１０１を通じてＩｏＴプラットホーム２に接続されている外部のサーバーなどから必要な情報を取得して案内情報を生成することもできる。
【００４６】
さらに、案内情報生成部１１２は、表示端末３Ａからの現在位置に応じて位置を示す地図（現在位置を示す地図）や表示端末３Ａの透過型ディスプレイが設けられている窓Ｗを通じてこれから見える地物等についての情報も生成する。また、案内情報生成部１１２は、窓Ｗを通じては見えないが、例えば著名な所定の地物等の対象の所在方向を示す情報も生成する。つまり、案内情報生成部１１２は、表示端末３Ａの透過型ディスプレイ３０６が設けられている窓Ｗから見える景色に関する情報（景色に対して付加するようにする情報）を、自機が備えるデータベースや外部のサーバーなどから必要情報を取得して形成する。
【００４７】
なお、現在位置を示す地図は、現在位置に基づいて、地図ＤＢ１０４の例えば地方図を利用することにより生成できる。また、窓Ｗを通じてこれから見える地物等についての情報は、現在位置、窓方向に基づいて、地図ＤＢ１０４の地図情報を参照し、現在位置からは見えないが、例えば数分後に見える特徴的な地物を抽出する。そして、案内情報生成部１１２は、当該抽出した地物に関する情報を、地図ＤＢ１０４や施設ＤＢ１０５から抽出し、これを利用して窓Ｗを通じてこれから見える地物等についての情報を生成する。
【００４８】
また、窓Ｗを通じては見えないが、例えば著名な所定の地物等の対象の所在方向を示す情報についても、地図ＤＢ１０４の地図情報を参照し、現在位置からは見えないが、予め設定されている著名な地物の所在位置を特定する。そして、案内情報生成部１１２は、表示端末３Ａからの現在位置を基準にして当該特定した著名な地物の所在方向を示す矢印などの表示情報を、当該対象の所在方向を示す情報として生成する。
【００４９】
指示入力情報抽出部１１３は、表示端末３Ａから送信されて来る情報から、表示端末３Ａの利用者である列車４の乗客によって入力された指示入力情報を抽出し、これを個別対応情報生成部１１４に供給する。なお、指示入力情報は、詳しくは後述もするが、当該利用者の属性情報、嗜好情報、ＴＰＯ情報、スケジュール情報など、種々の情報が含まれる。
【００５０】
個別対応情報生成部１１４は、指示入力情報抽出部１１３において抽出された指示入力情報に基づいて、景色画像ＤＢ１０６や地域情報ＤＢ１０７から表示端末３Ａの利用者に対して提供する個別対応情報を生成する。なお、個別対応情報生成部１１４は、不足する情報がある場合には、通信Ｉ／Ｆ１０１を通じてＩｏＴプラットホーム２に接続されている他のサーバー装置にアクセスし、必要な情報を取得し、これに応じて個別対応情報を生成することができる。
【００５１】
翻訳処理部１１５は、表示端末３Ａの利用者によって日本語以外の言語が選択された場合に、案内情報生成部１１２で生成された案内情報や個別対応情報生成部１１４で生成された個別対応情報を翻訳する。この場合、翻訳処理部１１５は、翻訳辞書ＤＢ１０８の目的とする言語の辞書を参照して翻訳を行う。
【００５２】
調光制御情報生成部１１６は、案内情報生成部１１２で生成された案内情報や個別対応情報生成部１１４で生成された個別対応情報などのコンテンツに応じて、表示端末３Ａの調光ガラス３１０の調光を制御する制御信号を形成する。例えば、表示対象のコンテンツが風景に関する案内情報である場合には、調光ガラス３１０の光の透過率を所定値まで下げるようにする調光制御情報を生成する。当該調光制御情報により、表示端末３Ａにおいては、窓Ｗを通じて外の景色を視認可能にしつつ透過型ディスプレイ３０６に表示される案内情報についても明瞭に視認できるようにすることができる。
【００５３】
また、表示対象のコンテンツが主に広告情報などの外の風景と直接の関連性のないものである場合には、調光制御情報生成部１１６は、調光ガラス３１０の光の透過率を限度まで下げるようにする制御信号を生成する。当該制御信号により、表示端末３Ａにおいては、調光ガラス３１０が外光を遮断するように機能するので、透過型ディスプレイ３０６を通じて外の景色は視認できないようにして、広告情報だけを明瞭に視認することができる。
【００５４】
更に、調光制御情報生成部１１６は、表示端末３Ａから提供される表示端末３Ａにおける現在位置、現在時刻、外光強度（照度）、輝度、移動速度、表示端末３Ａの向き、気象情報といった外的要因に関する情報を考慮して、調光制御情報を形成できる。もちろん、列車４の内部の明るさなど、調光を制御する上で考慮すべき種々の情報を考慮の対象とすることができる。また、調光制御情報生成部１１６は、表示装置３Ａから使用者の状況として、座席の位置、年齢、視力等の情報の提供を受けることができる場合には、このような使用者の状況についても考慮して、調光制御情報を形成できる。
【００５５】
これにより、表示端末３Ａが設置されている窓Ｗに対して、実際に差し込んでいる外光に応じて、さらには、列車の内部の明るさや使用者の状況をも考慮して、調光制御情報を生成できる。また、表示端末３Ａの調光ガラス３１０が複数の領域に分割され、その分割領域ごとに調光制御が可能であるとする。この場合、調光制御情報生成部１１６は、コンテンツの表示位置や窓Ｗにおいて外光が強く当たる部分などに応じて、調光ガラス３１０の領域ごとに調光を制御する制御信号を生成できる。
【００５６】
そして、案内情報生成部１１２で生成された案内情報や個別対応情報生成部１１４で生成された個別対応情報、翻訳処理部１１５で翻訳された案内情報や個別対応情報は、通信Ｉ／Ｆ１０１を通じて、現在位置などの送信元の表示端末３Ａに送信される。同様に、調光制御情報生成部１１６で生成された調光制御情報もまた、通信Ｉ／Ｆ１０１を通じて、現在位置などの送信元の表示端末３Ａに送信される。
【００５７】
［移動体設置型の表示端末３Ａの構成例］
図４は、移動体設置型の表示端末３Ａの構成例を説明するためのブロック図である。移動体設置型の表示端末３Ａの場合には、大きく分けると列車４の窓Ｗ部分に設けられる表示モジュールと列車４の窓Ｗ近傍に設けられる制御モジュールとからなる。表示モジュールは、窓Ｗの全面に設けられるようにされた透過型ディスプレイ３０６、タッチセンサ３０７、調光ガラス３１０からなる部分であり、ユーザインターフェースとしての機能を実現する。これ以外の部分が制御モジュールになる。
【００５８】
まず、制御モジュールにいて説明する。送受信アンテナ３０１Ａ及び無線通信部３０１は、ＩｏＴプラットホーム２を通じて通信を行う機能を実現する。制御部３０２は、図示しないがＣＰＵ、ＲＯＭ、ＲＡＭ、不揮発性メモリを備え、表示端末３Ａの各部を制御する機能を実現する。記憶装置３０３は、例えば大容量のフラッシュメモリーなどの記録媒体を備え、当該記録媒体へのデータの書き込み、記憶保持、読み出し、消去などを行う。
【００５９】
近距離無線通信部３０４及び近距離無線通信アンテナ３０４Ａは、例えばＢｌｕｅｔｏｏｔｈ（登録商標）規格の近距離無線通信機能を実現する。近距離無線通信部３０４及び近距離無線通信アンテナ３０４Ａを通じて、利用者の例えばスマートフォンやタブレット端末などとデータの送受信を行うことができる。これにより、スマートフォンやタブレット端末で表示しているコンテンツを表示装置３Ａで表示したり、逆に、表示端末３Ａで表示しているコンテンツをスマートフォンやタブレット端末で表示したりすることもできる。また、表示端末３Ａで表示されている情報を、スマートフォンやタブレット端末に提供して、これらにおいて保存し、必要に応じて利用するといったことも可能である。なお、近距離無線通信部３０４で用いられる通信規格は、Ｂｌｕｅｔｏｏｔｈ（登録商標）に限るものではなく、近距離無線通信用の種々の無線通信規格の適用が可能である。
【００６０】
ディスプレイコントローラ３０５は、制御部３０２の制御の下、透過型ディスプレイ３０６に映像を表示させるための映像信号を形成し、これを透過型ディスプレイ３０６に供給する。これにより、透過型ディスプレイ３０６に目的とする映像を表示させることができる。ポート３０８は、タッチセンサ３０７からの座標データの入力を受け付けて、これを制御部３０２に提供する。
【００６１】
調光ガラスコントローラ３０９は、サーバー１からの調光ガラス３１０を制御するための調光制御情報に応じて、調光ガラスの光の透過率を制御する。例えば、調光ガラス３１０の光の透過率を高くすれば、調光ガラス３１０を透過する光を多くすることができるので、列車の内側から列車の外側を見たときに外側の景色を明瞭に見えるようにすることができる。逆に、調光ガラス３１０の光の透過率を低くすれば、調光ガラス３１０を透過する光が少なくなるので、列車の内側から列車の外側を見たとき列車の外側の景色をある程度遮るようにしたり、また、景色を全く見えなくしたりできる。
【００６２】
なお、この実施の形態の調光ガラス３１０は、複数の部分に分割されており、調光ガラスコントローラ３０９は、その分割部分ごとに光の透過率を制御することもできるようになっている。音声処理部３１１は、制御部３０２の制御の下、サーバー１から案内情報として提供される音声データから出力する音声信号を形成し、これを音声出力端子３１２に供給する。これにより、利用者は音声信号の出力端子３１２にイヤホンやスピーカを接続することにより、音声情報としての案内情報などを聴取することができる。もちろん、音声処理部３１１からの音声信号を、近距離無線通信技術を用いて送信可能な構成にすることによって、無線方式のイヤホンやスピーカを利用して案内情報などの再生音声を聴取可能にすることもできる。
【００６３】
ポート３１４は、カメラ部３１３と制御部３０２との間のデータのやり取りを行えるようにする。カメラ部３１３は、列車４の外の景色を撮影することができるように、列車４の外側の窓Ｗの例えば上部に設けられている。そして、制御部３０２からカメラ部３１３に対しては、種々の制御情報が供給され、カメラ部３１３から制御部３０２に対しては、撮影画像情報が提供される。
【００６４】
カメラ部３１３により撮影された撮影画像情報は、制御部３０２の制御の下、記憶装置３０３の記録媒体をバッファとして用いて、サーバー１に送信される。このように、カメラ部３１３により、景色の動画を撮影し、その撮影画像情報をサーバー１に提供することにより、実際に窓Ｗから見える景色に基づき、その景色に関する案内情報の提供をサーバー１から受けることができる。
【００６５】
ポート３１６は、照度センサ３１５からの検出出力を制御部３０２が取り込むことができるようにする。照度センサ３１５は、例えばフォトダイオードを備えて明るさを検出すするものであり、カメラ部３１３と同様に、列車４の外側の窓Ｗの例えば上部に設けられている。これにより、照度センサ３１５は、列車４の窓Ｗの外側の外光強度（照度）を検出し、ポート３１６を通じて制御部３０２に通知することができるようになっている。照度センサ３１５で検出された照度もまた、サーバー１に送信される。
【００６６】
ＧＰＳ部３１７及びＧＰＳアンテナ３１７Ａは、複数の人工衛星からの信号を受信し、自機の現在位置を測位する機能を実現する。センサ部３１８は、いわゆる６軸センサを備え、移動方向、向き、回転を検出することができ、さらに移動距離や移動速度などを算出できるようになっている。時計回路３１９は、現在年月日、現在曜日、現在時刻を制御部３０２に提供するものである。なお、ＧＰＳ部３１７で測位された現在位置、センサ部３１８で検出された移動方向や移動速度、時計回路３１９から取得可能な現在時刻などの情報についても、必要に応じてサーバー１に送信することができるようになっている。
【００６７】
次に、表示端末３Ａの表示モジュールについて説明する。図５は、当該表示端末３Ａの表示モジュールについて説明するための図である。図５において窓Ｗに設けられた表示モジュール部分については、その断面図を示している。図５に示すように、窓Ｗの外側から内側に向かって、調光ガラス３１０→透過型ディスプレイ３０６→タッチセンサ３０７の順に張り合わされるようにして設けられている。
【００６８】
すなわち、図４に示した様に、調光ガラス３１０は、透過型ディスプレイ３０６の背面側にその全面又は一部を覆うように設けられる。一部としたのは、表示が行われる範囲が限られる場合には、その部分だけに設ければよい場合もあるためである。また、タッチセンサ３０７は、透過型ディスプレイの前面側にその全面を覆うように設けられている。なお、タッチセンサ３０７についても、操作領域が制限させる場合には、当該操作領域に対応して設ければよい。
【００６９】
そして、上述もしたように、透過型ディスプレイ３０６は、ディスプレイ上に情報を表示しつつ、そのディスプレイの向こう側が透けて見える構造を有する。また、タッチセンサ３０７も透明なものである。そして、上述したように、調光ガラス３１０は、光の透過率が制御できるものであり、調光ガラス３１０の向こう側が透けて見る透過状態から、まったく透けて見ない非透過状態までを変化可能にされたものである。
【００７０】
そして、サーバー１から提供される案内情報などのコンテンツが、ディスプレイコントローラ３０５を通じて透過型ディスプレイ３０６に表示される。この場合に、サーバー１から提供される調光制御のための制御情報に基づいて、調光ガラスコントローラ３０９が、調光ガラス３１０の光の透過率を制御する。これにより、調光ガラス３１０の光の透過率が高く制御されている時には、サーバー１からの案内情報などのコンテンツを、窓Ｗから見える景色に重畳するように透過型ディスプレイ３０６に表示できる。また、調光ガラス３１０の光の透過率が低く制御されている時には、窓Ｗから見える景色の視認性は落ちるが、透過型ディスプレイ３０６に表示されるサーバー１からの案内情報などのコンテンツの視認性を上げることができる。
【００７１】
また、透過型ディスプレイ３０６とタッチセンサ３０７とでいわゆるタッチパネルが構成されている。これにより、透過型ディスプレイ３０６に選択項目などを表示し、当該選択項目を、タッチセンサ３０７を通じて選択するといった入力操作が可能になる。当該タッチパネルを通じて、例えば、表示端末３Ａの利用者の属性情報、嗜好情報、ＴＰＯ情報、スケジュール情報などの入力を受け付けて、サーバー１に送信することができる。
【００７２】
［表示端末３Ａにおける調光制御の具体例］
図６、図７は、移動体設置型の表示端末３Ａにおけるコンテンツの表示例について説明するための図である。図６においては、列車４の窓Ｗを通して見えている景色（風景）や地物に関する案内情報を透過型ディスプレイ３０６に表示している場合の具体例を示している。具体的には、図６（Ａ）に示すように、透過型ディスプレイ３０６の右下端部には、列車４の走行位置を示す地図情報ＭＰが表示されている。この例においては、この実施の形態のコンテンツ表示装置の表示端末３Ａが搭載されている列車４が、熊本県の有明海に面した場所Ｐ付近を走行していることを示す地図情報が表示されている。
【００７３】
また、図６（Ａ）においては、窓Ｗを通じて見ることができる眼前の橋梁が、「△△橋」であることを示す表示と、「△△橋」に関する解説情報とが、エリアＧ１に表示するようにされている。更に、図６（Ａ）においては、窓Ｗを通じて見ることができる眼前の海が、「有明海」であることを示す表示と、「有明海」に関する解説情報とが、エリアＧ２に表示するようにされている。
【００７４】
しかし、図６（Ａ）の場合には、調光ガラス３１０の光の透過率が例えばほぼ１００％とされており、外光強度（照度）が高いために、点線等で示したように、透過型ディスプレイ３０６に表示された案内情報が列車４の車内からは見難い状態になっている。しかし、この実施の形態のコンテンツ表示装置においては、サーバー１の調光制御情報生成部１１６において調光制御情報が形成され、これは表示端末３Ａに提供されて調光ガラス３１０の光の透過率が制御される。
【００７５】
この例の場合には、図６（Ｂ）に示すように、例えば、光の透過率が５０％程度に下げられることにより、外光による眩しさが低減され、使用者が案内情報を明瞭に見ることができるようにされる。また、光の透過率は０％ではないので、窓Ｗを通じて車外の景色も見ることができる。従って、景色と案内情報とを関連付けて適切に使用者に対して提供できる。なお、表示装置３Ａの使用者が、例えば、透過型ディスプレイとタッチセンサ３０７とからなるタッチパネルを通じて、あるいは、自己の所持するスマートフォンやタブレット端末を通じて、調光の程度を指示して、使用者の好みに合うように調整することもできる。
【００７６】
また、図７においては、目的とする地物等のある方向を示す情報などを透過型ディスプレイ３０６に表示している場合の具体例を示している。具体的には、図７（Ａ）に示すように、透過型ディスプレイ３０６の中央上端側には、「○○タワーは矢印方向に３ｋｍ先です」という案内情報Ｇ３と矢印Ａｒとが表示されている。つまり、今現在は見えていないが、列車４の進行に伴ってこれから見えて来る「○○タワー」の見える方向を示す案内情報が表示されている。
【００７７】
しかし、図７（Ａ）の場合には、調光ガラス３１０の光の透過率が例えばほぼ１００％とされており、また、外光強度（照度）が高いために、透過型ディスプレイ３０６に表示された案内情報Ｇ３及び矢印Ａｒが点線等で示したように車内からは見難い状態になっている。しかし、この実施の形態のコンテンツ表示装置においては、サーバー１の調光制御情報生成部１１６において調光制御情報が形成され、これが表示端末３Ａに提供されて調光ガラス３１０の光の透過率が制御される。
【００７８】
そして、この実施の形態において、調光ガラス３１０は、例えば、図７（Ａ）において一点鎖線で示したように６つの分割領域ｂｒ１〜ｂｒ６に分割され、そのそれぞれごとに光の透過率を制御できるようになっているものとする。このため、サーバー１の調光制御情報生成部１１６は、案内情報Ｇ３及び矢印Ａｒの表示位置に応じて、分割領域ｂｒ２の光の透過率を例えば５０％程度に制御する調光制御情報を形成する。
【００７９】
これにより、図７（Ｂ）に示すように、調光ガラス３１０の分割領域ｂｒ２の光の透過率が５０％程度になるように制御され、案内情報Ｇ３及び矢印Ａｒを使用者が明瞭に認識できるように表示できる。そして、調光ガラス３１０の分割領域ｂｒ２以外の分割領域ｂｒ１、ｂｒ３〜ｂｒ６の光の透過率は通常の１００％程度のままとされるので、分割領域ｂｒ１、ｂｒ３〜ｂｒ６を透過して観視可能な外の風景は明瞭に見ることができる。
【００８０】
このように、この例の場合には、案内情報が表示される分割領域ｂｒ２の光の透過率が低くなるように制御されることにより、図７（Ｂ）に示すように、案内情報Ｇ３及び矢印Ａｒを明瞭に見ることができるようにして提供できる。しかも、案内情報が表示される分割領域ｂｒ２以外の分割領域の光の透過率は低くしないようにすることによって、これから見えてくる「○○タワー」を見落とすことがないようにすることができる。
【００８１】
なお、図７（Ａ）に示した調光ガラス３１０の分割の態様は一例であり、調光ガラス３１０について、どの分割領域も形状及び面積が同じようになるように分割することもできるし、その他の種々の態様で調光ガラス３１０を複数の分割領域に分割可能である。すなわち、調光ガラスコントローラ３０９を通じて各分割領域を制御できれば、どのような態様で分割してもよい。
【００８２】
ここでは、表示対象の案内情報に応じて、調光ガラス３１０の全面の調光制御を行う場合と調光ガラス３１０の一部分の調光制御を行う場合について説明したが、これに限るものではない。上述もしたように、表示端末の現在位置、現在時刻、外光強度（照度）、移動速度、表示端末３Ａの向き、気象情報といった外的要因に関する情報をも考慮して、調光制御を行うか否か、行う場合、どのような制御態様とするのかを細かく決めて制御するようにできる。
【００８３】
［携帯端末型の表示端末３Ｂの構成例］
図８は、携帯端末型の表示端末３Ｂについて説明するための図であり、携帯端末型の表示端末３Ｂの主に外観を示す図である。この図８に示す携帯端末型の表示端末３Ｂと上述したサーバー１とによってコンテンツ表示装置が構成されることになる。なお、この表示端末型の表示端末３Ｂにおいても、上述した移動体設置型の表示端末３Ａと同様に構成される部分には同じ参照符号を付し、その部分の詳細な説明については重複するので省略する。
【００８４】
図８に示すこの例の表示端末３Ｂの大きさは、いわゆるタブレットＰＣ（Personal Computer）と同程度の大きさのものであり、表示画面を含む面の大きさは例えばＡ４版の用紙のサイズと同程度のものである。そして、図８に示す携帯端末型の表示端末３Ｂにおいても、筐体ＫＴに嵌め込まれる態様で、調光ガラス３１０と、透過型ディスプレイ３０６と、タッチセンサ３０７とからなる表示モジュールが設けられる。
【００８５】
この表示端末３Ｂにおいても図５を用いて説明したように、外側から順に調光ガラス３１０、透過型ディスプレイ３０６、タッチセンサ３０７の順に張り合わされるようにして設けられている。従って、使用者側にはタッチセンサ３０７が最初に位置し、真ん中に透過型ディスプレイが設けられ、一番外側に調光ガラス３１０が設けられた構成になる。従って、調光ガラス３１０の光の透過率が高ければ、タッチセンサ３０７、透過型ディスプレイ３０６、調光ガラス３１０を介して向こう側が透けて見るようになっている。更に、表示端末３Ｂの場合には、図８に示すように例えば上端部分には、使用者の観視方向の景色などを撮影するためのカメラ部３１３が設けられていると共に、外光強度（照度）を検出するための照度センサ３１５も設けられている。
【００８６】
そして、図８において、表示端末３Ｂの下端側に制御モジュール３００として示した部分に、図４の下側半分の領域に示した回路部分が設けられる。すなわち、制御モジュール３００には、表示モジュール（調光ガラス３１０と透過型ディスプレイ３０６とタッチセンサ３０７とからなる部分）と、カメラ部３１３と、照度センサ３１５とを除いた各回路部分が設けられる。
【００８７】
上述した移動体設置型の表示端末３Ａは、移動体の窓Ｗに表示モジュールが設けられ、その近傍に制御モジュールが設けられていた。これに対して、この例の表示端末３Ｂは、表示モジュールと制御モジュールとが、携帯端末の筐体ＫＴ内に一体的に設けられたものである。これにより、この例の携帯端末型の表示端末３Ｂは、使用者が電車や自動車といった種々の移動体に持ち込んで利用したり、また、例えば徒歩による観光地の探索時などにおいて持ち運んで利用したりすることができる。
【００８８】
そして、この携帯端末型の表示端末３Ｂの場合にも、上述した移動体設置型の表示端末３Ａの場合と同様に、サーバー１と協働し、案内情報などを透過型ディスプレイ３０６に表示して提供することができる。そして、サーバー１と協働することにより、調光ガラス３１０の光の透過率を適切に制御し、案内情報などを確実に観視できるようにして提供することができる。
【００８９】
［表示端末３Ａとサーバー１とからなるコンテンツ表示装置の処理］
次に、コンテンツ表示装置を構成する表示端末３Ａとサーバー１とのそれぞれで行われる処理について説明する。なお、ここでは、移動体設置型のコンテンツ表示装置を構成する表示端末３Ａ（図４）とサーバー１（図３）で行われる処理を例にして説明する。しかし、携帯型端末の構成された表示端末３Ｂ（図８）とサーバー１とからなるコンテンツ表示装置の場合にも同様の処理が行われることになる。
【００９０】
＜表示端末３Ａの処理＞
図９は、表示端末３Ａで行われる処理について説明するためのフローチャートである。図９に示す処理は、使用者が表示端末３Ａの起動スイッチをオンにすることにより開始したり、あるいは、列車４が走行を開始した場合に自動的に起動したりされる。後者の場合には、事前に起動されるので、後述するように位置情報に応じた情報の表示を自動的に行うようにすることができる。
【００９１】
そして、図９に示す処理が開始されると、まず、表示端末３Ａの制御部３０２は、送受信アンテナ３０１Ａ及び無線通信部３０１を通じてサーバー１にアクセスし、接続要求を送信してサーバー１との間にリンクを接続する処理を行う（ステップＳ１０１）。ステップＳ１０１において制御部３０２は、自己が備える不揮発性メモリに予め設定されているサーバー１にアクセスするためのＵＲＬ（uniform resource locator）を用いてサーバー１にアクセスする。
【００９２】
サーバー１との間にリンクが接続されると、制御部３０２は、順次に、現在位置、撮影画像、照度情報（外光強度）といった必要情報を取得する処理を開始する（ステップＳ１０２）。具体的にステップＳ１０２において制御部３０２は、所定のタイミングごとに、ＧＰＳ部３１８を通じて自機の現在位置を取得すると共に、照度センサ３１５を通じて照度情報を取得する。また、ステップＳ１０２において制御部３０２は、カメラ部３１３を通じて窓Ｗを通じて見える景色を撮影することにより撮影画像（動画像情報）を取得する。これ以外にも、時計回路３１９を通じて取得した現在時刻、センサ部３１８を通じて取得した移動速度などのサーバー１において利用可能な種々の情報を取得してもよい。
【００９３】
更に、制御部３０２は、ステップＳ１０２において取得した情報を、送受信アンテナ３０１Ａ及び無線通信部３０１を通じてサーバー１に送信する処理を開始する（ステップＳ１０３）。このようにして、サーバー１において利用される種々の情報を表示端末３Ａにおいて順次に取得して、これをサーバー１に順次に送信する処理が行うようにされる。これに応じて、詳しくは後述するが、サーバー１は、表示端末３Ａからの必要情報（送信データ）に基づいて、案内情報などの表示用のコンテンツや調光制御情報を生成して表示端末３Ａに送信して来る。
【００９４】
そこで、表示端末３Ａの制御部３０２は、送受信アンテナ３０１Ａ及び無線通信部３０１を通じて、サーバー１からの案内情報などの送信データを順次に受信する処理を開始する（ステップＳ１０４）。そして、制御部３０２は、ディスプレイコントローラ３０５を制御して、案内情報などを透過型ディスプレイ３０６に表示する処理と、調光制御情報に応じて調光ガラスコントローラ３０９を通じたて調光ガラス３１０の調光を制御する処理を開始する（ステップＳ１０５）。
【００９５】
この後、制御部３０２は、表示端末３Ａの電源がオフにされるなどの終了事象が発生したか否かを判別する（ステップＳ１０６）。ステップＳ１０６の判別処理において、終了事象は発生していないと判別したときには、ステップＳ１０６からの処理を繰り返し、終了事象が発生するまで、必要情報のサーバー１への送信及び案内情報などの表示と調光制御とを引き続き行うようにする。
【００９６】
また、ステップＳ１０６の判別処理において、終了事象が発生したと判別したときには、所定の終了処理を実行し（ステップＳ１０７）、この図９の処理を終了する。なお、ステップＳ１０７においては、終了要求を形成してサーバー１に送信したり、透過型ディスプレイ３０６の表示情報を消去したり、調光ガラス３１０への調光制御を終了し、初期状態に戻したりするといった処理が行われる。
【００９７】
＜サーバー１の処理＞
図１０は、サーバー１で行われる処理について説明するためのフローチャートである。サーバー１の制御部１０２は、常時、図１０に示す処理を実行するようにしており、通信Ｉ／Ｆ１０１を通じて表示端末３Ａからのアクセスを受け付けて、接続要求を受信するようにしている（ステップＳ２０１）。そして、制御部１０２は、表示端末３Ａからの接続要求を受信したか否かを判別する（ステップＳ２０２）。ステップＳ２０２の判別処理において、表示端末３Ａからの接続要求を受信していないと判別したときには、ステップＳ２０１からの処理を繰り返し、表示端末３Ａからの接続要求の到来を待つ。
【００９８】
ステップＳ２０２の判別処理において、表示端末３Ａからの接続要求を受信したと判別したときには、接続要求を送信してきた表示端末３Ａからの送信データの受信処理を開始する（ステップＳ２０３）。このステップＳ２０３の処理においては、表示端末３Ａから送信されて来る現在位置、照度情報（外光強度）、撮影画像（動画情報）といった必要情報を順次に受信し、記憶装置１０３に格納して利用可能にする。
【００９９】
そして、制御部１０２は、窓方向判別部１０９を制御し、表示端末３Ａが設けられた窓Ｗが左側の窓か右側の窓かを判別する処理を行う（ステップＳ２０４）。この実施の形態において、窓方向判別部１０９は、表示端末３Ａからの撮影画像情報の内、連続する２枚以上（２フレーム以上）の撮影画像情報から所定の特徴点の流れる方向を判別し、撮影画像情報が進行方向に向かって左右どちら側の窓Ｗの近傍のカメラ部３１３によって撮影されたものかを判別する。すなわち、ステップＳ２０４の左右判別は、カメラ部３１３の向きを検出する処理である。窓方向判別部１０９の判別結果は、地物検出部１１１に通知される。
【０１００】
次に、サーバー１の制御部１０２は、撮影画像特徴抽出部１１０を制御し、受信した表示端末３Ａからの撮影画像情報に含まれる特徴物の画像を抽出する処理を行う（ステップＳ２０５）。このステップＳ２０５の処理は、上述もしたように、所定数以上（所定フレーム数以上）の撮影画像に現れる物の画像や撮影画像の所定割合以上を占める物の画像を抽出するものである。
【０１０１】
そして、制御部１０２は、地物検出部１１１を制御し、ステップＳ２０５で抽出した特徴物が何かを特定する処理を行う（ステップＳ２０６）。ステップＳ２０６において、地物検出部１１１は、まず、地図ＤＢ１０４の３Ｄ地図を参照し、受信した表示端末３Ａからの現在位置により示される現在位置から所定距離以内であって、進行方向の所定角度内の地物を検索する。次に、地物検出部１１１は、地図ＤＢ１０４の３Ｄ地図における地物の位置情報、形状情報、高さ情報などを使用して、ステップＳ２０５で撮影画像情報から抽出した特徴物に合致する地物を特定する。これにより、撮影画像情報から抽出した特徴物が、どのような地物かが特定できる。この特定結果は、案内情報生成部１１２に供給される。
【０１０２】
制御部１０２は、案内情報生成部１１２を制御し、表示端末３Ａの透過型ディスプレイ３０６に表示して表示端末３Ａの使用者に提供する種々の案内情報を生成する（ステップＳ２０７）。ステップＳ２０７では、ステップＳ２０６で特定した地物の属性情報を施設ＤＢ１０５から取得し、（１）窓Ｗから現に見えている景色（風景）に関する情報を生成する。さらに、案内情報生成部１１２は、現在位置に基づき、地図ＤＢ１０４を参照し、（２）表示端末３Ａの現在位置を示す地図を生成し、さらに、ステップＳ２０４で判別した窓Ｗの向きをも考慮して、地図ＤＢ１０４を参照し、（３）窓Ｗを通じてこれから見える地物等の対象についての情報や（４）窓Ｗを通じては見えないが所定の地物等の対象の所在方向を示す情報などを生成する。
【０１０３】
また、ステップＳ２０７では、使用者により入力されたＴＰＯを示す情報や使用者の属性情報（年齢、性別、職業など）に応じて、提供するべき広告情報やリコメンド情報なども必要に応じて生成される。また、ステップＳ２０７では、音声情報の案内情報も必要に応じて生成される。
【０１０４】
なお、ステップＳ２０７において生成される案内情報などのコンテンツ情報（表示情報）には、表示端末３Ａの透過型ディスプレイ３０６が設けられた窓Ｗから見える地物等に応じて、当該情報を表示する透過型ディスプレイ３０６上の表示位置を指示する情報なども含まれる。表示位置の特定は、表示端末３Ａからの撮影画像に基づいて行うことができる。
【０１０５】
また、当該案内情報などには、当該案内情報などを表示するタイミングを示す情報も含まれる。例えば、案内情報を表示する地物が明瞭に見える場所に到達したときに案内情報を表示するようにしたいとする。この場合には、案内情報生成部１１２は、主に地図ＤＢ１０４の３Ｄ地図情報に基づいて、また、必要に応じて表示端末３Ａからの撮影画像などを考慮して、列車４の移動経路上の当該場所を示す緯度経度を特定する。この特定した緯度経度を、案内情報を表示するタイミングを示す情報として案内情報に付加できる。なお、即時に表示する案内情報の場合には、案内情報を表示するタイミングを示す情報を付加しないようにすることで、当該案内情報は即時に表示するものであると特定できる。
【０１０６】
次に、制御部１０２は、表示端末３Ａの調光ガラス３１０の光の透過率を制御するための調光制御情報を生成するために必要になる情報を収集する（ステップＳ２０８）。ステップＳ２０８においては、上述もしたように、最新の現在位置、現在時刻、外光強度、移動速度、表示端末３Ａの向き、気象情報、案内情報を表示するタイミングなどの情報を収集
する。
【０１０７】
ここで、現在位置、現在時刻、外光強度、移動速度は、表示端末３Ａから送信されたものを受信して用いることができる。なお、現在時刻については、表示端末３Ａからの送信データを受信したタイミングにおいてサーバー１において、サーバー１が備える時計回路やＩｏＴプラットホーム上の時刻提供サーバーから取得した現在時刻を用いてもよい。また、移動速度は、サーバー１において、表示端末３Ａから提供された現在位置により特定される２点間の距離を、当該２点間を移動するのにかかった時間で割り算することによって算出してもよい。この場合、現在時刻は、現在位置を取得するごとに取得するようにしておけばよい。
【０１０８】
また、表示端末３Ａの向きは、ステップＳ２０４で特定した左右の別と列車４の進行方向とから判別される向きを用いてもよいし、表示端末３Ａのセンサ部３１８で検出され、表示端末３Ａから提供される表示端末３Ａの向きを用いてもよい。また、気象情報は、サーバー１がＩｏＴプラットホーム２に接続されている気象情報サーバー５から取得したものを用いる。
【０１０９】
案内情報を表示するタイミングは、上述したように、案内情報に付加するようにされている、案内情報の表示開始場所を示す緯度経度から特定できる。表示開始場所が分かれば、表示端末３Ａの最新の現在位置と移動速度とから、当該表示開始位置に到達する時刻を算出できる。また、即時に表示する案内情報の場合には、表示開始位置を示す情報は付加されていないので、案内情報を表示するタイミングは即時であると特定できる。
【０１１０】
更に、案内情報を表示している場合の表示端末３Ａが設けられた窓Ｗへの日当たり具合は、表示端末３Ａの向きと、表示開始場所への到達時刻と、そのときの表示開始場所を含むエリアの気象情報と、地図ＤＢ１０４の３Ｄ地図より把握可能な近隣の地物の状況とに基づき特定できる。すなわち、案内情報を表示している場合の表示端末３Ａが設けられた窓Ｗへの日当たり具合は、案内情報の表示開始場所に列車４が到達する日時において、太陽の光が列車４の窓Ｗにどの程度の光量で到達するかを示す情報となる。
【０１１１】
そして、制御部１０２は、ステップＳ２０８で収集した情報から、表示端末３Ａの調光ガラス３１０の調光制御が必要か否かを判別し、必要であると判別した場合に、調光制御情報を生成する（ステップＳ２０９）。ステップＳ２０９では、ステップＳ２０７で生成した案内情報などが、表示端末３Ａの透過型ディスプレイ３０６に表示されている場合に、当該案内情報の表示位置に所定値以上の光量の光が当たり当該案内情報が見難くなるかどうかを判別する。この実施の形態においては、上述もしたように、３Ｄ地図をも考慮する。
【０１１２】
したがって、案内情報を表示する場所（地域）の気象予報が晴天で、表示端末３Ａが設けられた窓Ｗに日が当たる状況であっても、当該場所においては例えば近隣の山やビルディング群の影響で所定値以上の光量の光が当たらないことが判別できた場合には、調光ガラス３１０の光の透過率を下げる必要はないと判別される。ステップＳ２０９において、調光ガラス３１０の調光制御が必要であると判別した場合には、制御部１０２はステップＳ２０８で取得した情報を調光制御情報生成部１１６に供給して、調光制御情報を生成するように制御する。これにより、調光制御情報生成部１１６において、表示端末３Ａに供給する調光制御情報が生成される。そして、制御部１０２は、ステップＳ２０７で生成された案内情報と、ステップＳ２１０で生成された調光制御情報とを、表示端末３Ａに送信する（ステップＳ２１０）。
【０１１３】
この後、制御部１０２は、表示端末３Ａにおいて案内情報の表示処理を終了させる事象が発生した場合に、表示端末３Ａから送信されて来る終了要求を、通信Ｉ／Ｆ１０１を通じて受信する（ステップＳ２１１）。そして、制御部１０２は、ステップＳ２１１において表示端末３Ａからの終了要求を受信したか否かを判別する（ステップＳ２１２）。
【０１１４】
ステップＳ２１２の判別処理において、表示端末３Ａからの終了要求を受信していないと判別したときには、ステップＳ２０４からの処理を繰り返し、表示端末３Ａから新たに受信した情報に基づいて、案内情報の生成と調光制御情報の生成とを行うようにする。また、ステップＳ２１２の判別処理において、表示端末３Ａからの終了要求を受信したと判別したとする。この場合には、表示端末３Ａから受信した情報をクリアするなどの所定の終了処理を行うことにより（ステップＳ２１３）、当該表示端末３Ａとの連携処理を終了し、ステップＳ２０１からの処理を繰り返すようにする。
【０１１５】
なお、繰り返し行われるステップＳ２０４からの処理において、ステップＳ２０７の案内情報などの生成処理においては、案内情報の表示位置の変更を指示したり、必要のなくなった案内情報を消去するように指示したりする情報も生成される。もちろん、上述したように、新たに表示する必要が生じた案内情報の生成も行われる。また、表示すべき案内情報などがない場合には、案内情報などのコンテンツ情報は生成されない。同様に、ステップＳ２０９の調光制御情報の生成処理においては、光の透過率や調光制御を行う分割領域の変更を指示したり、調光制御の停止を指示したりする情報も生成される。もちろん、上述したように、必要に応じて新たな調光制御情報の生成も行われる。
【０１１６】
また、列車４に設置された表示端末３Ａのように、移動体設置型の表示端末の場合には、移動体の窓に対して表示端末の表示モジュールが固定的に設けられるので、ステップＳ２０４の左右判別は一度行えばよいとも考えられる。しかし、列車が折り返し運転される場合のように、移動体の移動方向が逆向きに変われば、ステップＳ２０４の判別結果も異なることになる。また、図８を用いて説明した携帯端末型の表示端末３Ｂの場合には、初めは列車の進行方向右側の座席から右側の窓に向けて使用していたが、進行方向左側の座席が空いたので左側の席に移動し、左側の窓に向けて使用するといった場合も発生し得る。このため、この実施の形態においては、ステップＳ２０４の左右判別を繰り返し行うようにしている。
【０１１７】
＜調光制御情報の生成処理＞
図１１は、サーバー１で行われる調光制御情報の生成処理について説明するためのフローチャートである。この図１１のフローチャートに示す処理は、サーバー１で行われる処理を説明するための図１０のフローチャートに示した処理のステップＳ２０９において、制御部１０２の制御の下、調光制御情報生成部１１６により行われる処理である。
【０１１８】
まず、調光制御情報生成部１１６は、図１０のフローチャートに示した処理のステップＳ２０７において生成された案内情報などの内容と、案内情報などの表示端末３Ａの透過型ディスプレイ３０６上の表示位置とを特定する（ステップＳ３０１）。すなわち、ステップＳ３０１は、どんな案内情報を透過型ディスプレイ３０６のどこに表示するようにしているのかを把握する処理である。
【０１１９】
次に、調光制御情報生成部１１６は、図１０のフローチャートに示した処理のステップＳ２０７において生成された案内情報などに基づいて、当該案内情報の表示開始場所を特定する（ステップＳ３０２）。ステップＳ３０２で特定された案内情報の表示開始場所は、当該案内情報の表示タイミングを特定するために用いられる。そして、調光制御情報生成部１１６は、ステップＳ３０１及びステップＳ３０２で特定した情報と、表示端末３Ａから提供されたり、自機において取得したりした情報を用いて、案内情報を表示した場合の窓Ｗへの外光の入射状況を予測する（ステップＳ３０３）。
【０１２０】
すなわち、ステップＳ３０３においては、外的要因に関する情報を考慮し、案内情報の透過型ディスプレイ３０６への表示タイミング以降における窓Ｗへの外光の入射状況を予測して、表示される案内情報の視認性を把握する（ステップＳ３０３）。ステップＳ３０３では、ステップＳ３０１及びステップＳ３０２で特定された情報に加えて、現在位置、現在時刻、外光強度（照度）、移動速度、表示端末３Ａの向き、気象情報といった外的要因に関する情報が考慮される。
【０１２１】
そして、調光制御情報生成部１１６は、ステップＳ３０３において把握した内容から、調光制御が必要か否かを判別する（ステップＳ３０４）。ステップＳ３０４においては、透過型ディスプレイ３０６に表示される案内情報の視認性が悪くなることを把握した（予測した）場合には、調光制御が必要であると判別する。また、ステップＳ３０４においては、透過型ディスプレイ３０６に表示される案内情報の視認性が悪くならないことを把握した（予測した）場合には、調光制御は必要ないと判別する。
【０１２２】
ステップＳ３０４判別処理において、調光制御が必要であると判別した場合には、調光制御情報生成部１１６は、把握内容に基づき、光の透過率や調光ガラス３１０の制御対象となる分割領域を特定し、調光制御情報を生成する（ステップＳ３０５）。すなわち、ステップＳ３０５においては、調光ガラス３１０の各分割領域の光の透過率を制御する調光制御情報が生成される。従って、調光ガラス３１０の全ての分割領域の光の透過率を制御するものとする場合もあれば、一部の分割領域だけについて光の透過率を制御するものとする場合もある。また、調光ガラス３１０の全ての分割領域の光の透過率を制御する場合でも、分割領域ごとに光の透過率を異なるものとする場合もある。
【０１２３】
ステップＳ３０５の処理の後においては、この図１１に示す処理を終了し、図１０に示した処理に戻り、ステップＳ２１０からの処理を行って案内情報と調光制御情報とを表示端末３Ａに送信することになる。また、ステップＳ３０４判別処理において、調光制御は必要ないと判別した場合には、ステップＳ３０５の処理は行わずに、すなわち、調光制御情報は生成せずに、図１０に示した処理に戻り、ステップＳ２１０からの処理を行って、この場合には案内情報だけを表示端末３Ａに送信することになる。
【０１２４】
このように、この実施の形態のコンテンツ表示装置は、透過型ディスプレイ３０６に案内情報などのコンテンツを表示するものであるが、表示対象の案内情報を使用者が確実に認識できるように、調光ガラス３１０の光の透過率を適切に制御できるようにしている。
【０１２５】
なお、ここでは、外的要因に関する情報を考慮するようにしたがこれに限るものではない、表示対象の案内情報などのコンテンツの内容だけに基づいて、調光制御情報を生成することもできる。例えば、窓Ｗから現に見えている地物などに関する案内情報を表示する場合には、光の透過率をある程度高く維持して、外の景色などをある程度見えるようにしつつ、案内情報を見やするする。また、使用者の属性やＴＰＯに応じた広告情報を表示する場合には、光の透過率を低くして、外の景色などは見えないようにしつつ、広告情報を明瞭に見えるように提供するといったことが可能である。
【０１２６】
［ナビゲーション装置への応用］
上述の実施の形態では、携帯端末型の表示端末３Ｂは、タブレットＰＣと同程度の大きさのものとして説明したが、いわゆるスマートフォンと呼ばれる高機能携帯電話端末と同程度の大きさのものとして構成することもできる。スマートフォンは、ナビゲーションアプリ（ナビゲーション用ソフトウェア）を搭載することにより、自動車用のナビゲーション装置として用いたり、歩行者用や自転車用のナビゲーション装置として用いたりすることができる。この場合に、調光ガラスと透過型ディスプレイを備えた表示端末（スマートフォン）を構成することにより、より適切に経路案内のための情報を表示することができるナビゲーション装置を実現できる。
【０１２７】
図１２は、この発明のコンテンツ表示装置をナビゲーション装置に適用した場合の例について説明するための図である。この例のコンテンツ表示装置は、スマートフォンと同サイズの携帯端末型の表示端末３Ｃとサーバー１Ａとからなり、例えば自動車用のナビゲーション装置としての機能を実現するものである。
【０１２８】
サーバー１Ａは、上述したサーバー１と同様に情報提供サービスサーバー装置としての機能を実現するものであるが、この例においてサーバー１Ａは、ナビゲーションサービスサーバー装置としての機能を実現する。すなわち、サーバー１Ａは、図３を用いて説明したサーバー１と同様の構成を備えるが、更に、道路ネットワークＤＢやルート探索処理部を備えたものとなる。そして、サーバー１Ａは、表示端末３ＣからＩｏＴプラットホーム２を通じて提供されるルート探索要求に応じてルート探索を行って、探索したルートを示す情報と地図情報と必要になる案内情報とを表示端末３Ｃに提供する。
【０１２９】
なお、表示端末３Ｃからのルート探索要求は、少なくとも出発地と目的地のそれぞれを示す情報を含み、また、必要な場合には経由地を示す情報をも含むものである。また、探索したルートを示す情報は、例えば通過すべきノードやリンクを示す情報である。また、地図情報はルート案内のための必要となるエリアの地図情報であって、地図ＤＢ１０４から抽出された情報である。また、必要になる案内情報は、進路を示す矢印マークや渋滞を示す文字情報、更に音声ガイダンス情報も含まれる。
【０１３０】
表示端末３Ｃは、図１２に示したように、図４を用いて説明した表示端末３Ａと同様の構成を有するが、その外観は例えば、図８に示した表示端末３Ｂ（タブレットＰＣと同程度の大きさのもの）をスマートフォンと同程度の大きさに小型化したものとなる。そして、表示端末３Ｃは、調光ガラス３１０と透過型ディスプレイ３０６とタッチセンサ３０７とからなる表示モジュールを備えている。このため、上述した表示端末３Ａ、３Ｂの場合と同様に、透過型ディスプレイ３０６に案内情報を表示して使用者が見ることができるようにしつつ、透過型ディスプレイ３０６の向こう側に現に存在している様子（景色など）も使用者は見ることができるようになっている。
【０１３１】
そして、この例のコンテンツ表示装置において、サーバー１Ａは、透過型ディスプレイに３０６に表示する情報に応じて、調光ガラス３１０の光の透過率や光の透過率の制御範囲を制御する調光制御情報を生成して表示端末３Ｃに提供する。これにより、表示端末３Ｃにおいて、使用者に対して適切に表示情報の提供を行うことができるようにしている。図１３は、図１２を用いて説明したナビゲーション端末を構成する表示端末３Ｃにおける情報の表示例について説明するための図である。なお、図１３においては、説明を簡単にするため、タッチセンサ３０７については省略している。
【０１３２】
図１３（Ａ）は、例えば晴天の日中に、調光ガラス３１０の光の透過率を１００％として、透過型ディスプレイ３０６及び調光ガラス３１０を通じて、前方の道路を観視可能にしている場合に、左折を指示する矢印マークが表示された場合を示している。この場合、透過型ディスプレイ３０６には調光ガラス３１０を介して多くの外光が入射するために、左折を指示する矢印マークが点線で示したように見難くなる場合がある。
【０１３３】
そこで、サーバー１は進路を指示する矢印マークを表示する場合には、その表示領域に対応する調光ガラス３１０の分割部分の光の透過率を例えば５０％程度にする調光制御情報を生成し、表示端末３Ｃに提供する。この場合、表示端末３Ｃでは、例えば、図１３（Ｂ）に示すように、調光ガラス３１０をその長手方向に３分割した場合の左折を指示する矢印マークが表示される中央の分割領域についてだけ、光の透過率が５０％程度に制御される。これにより、表示端末３Ｃの使用者は、表示端末３Ｃの透過型ディスプレイ３０６及び調光ガラス３１０を介して、前方の道路を見ながら進行方向を明確に認識することができる。
【０１３４】
また、図１３（Ａ）、（Ｂ）に示したように、表示端末３Ｃの透過型ディスプレイ３０６及び調光ガラス３１０を介して見える道路の様子を利用して矢印マークなどにより進行方向を案内するのではなく、地図上において自己の現在位置（表示端末３Ｃ）の現在位置を把握したい場合もある。この場合には、表示端末３Ｃのタッチセンサ３０７を通じた指示入力により、地図表示に切り替えることができるようにされる。
【０１３５】
このように、地図情報が表示端末３Ｃの透過型ディスプレイ３０６に表示される場合には、透過型ディスプレイ３０６及び調光ガラス３１０を介して前方の道路の様子が見える必要はないし、見える場合には表示された地図が見難くなる場合が多いと考えられる。そこで、サーバー１は地図が透過型ディスプレイ３０６の全面に表示される地図表示モード時においては、調光ガラス３１０の全面の光の透過率を０％にする調光制御情報を生成して、表示端末３Ｃに提供しておく。
【０１３６】
これにより、表示端末３Ｃが地図表示モードにされた場合には、調光ガラス３１０の全面の光の透過率が０％に制御される。光の透過率が０％の場合には、調光ガラス３１０は光を透過させないので、例えば、図１３（Ｃ）に示すように、透過型ディスプレイ３０６及び調光ガラス３１０を介して前方の道路の様子が見えないようにされ、地図情報が明瞭に表示するようにされる。この場合には、表示端末３Ｃの使用者は、透過型ディスプレイ３０６に表示された地図をはっきりと見ることができる。
【０１３７】
このように、この例のナビゲーション装置の構成を実現するコンテンツ表示装置の場合には、表示するコンテンツに応じて、調光ガラス３１０の調光制御を行うことができる。なお、ここでは、表示するコンテンツに応じて、調光ガラス３１０の調光制御を行うことを説明したが、図１２に示したナビゲーション装置の構成とされたコンテンツ表示装置の場合においても、表示端末３Ａ、３Ｂを用いて構成したコンテンツ表示装置の場合と同様に、現在位置、現在時刻、外光強度（照度）、移動速度、表示端末３Ａの向き、気象情報といった外的要因をも考慮し、調光ガラス３１０及び透過型ディスプレイ３０６に入射する外光強度を予測し、調光ガラス３１０の光の透過率や光の透過率を制御する調光ガラス３１０の分割部分を制御することもできる。
【０１３８】
なお、ナビゲーション装置の場合には、音声ガイダンスもサーバー１Ａで生成されて表示端末３Ｃに提供され、必要におじて音声処理部３１１及びスピーカ３２１Ｘを通じて放音され、使用者に対して提供可能になっている。
【０１３９】
［実施の形態の効果］
サーバー１と共にコンテンツ表示装置を構成する表示端末３Ａ、３Ｂは、いずれも透過型ディスプレイ３０６の背面の全面を覆うように調光ガラス３１０が設けられた構成を有する。そして、表示端末３Ａ、３Ｂのそれぞれは、サーバー１からの案内情報及び調光制御情報の提供を受けて、当該案内情報を透過型ディスプレイ３０６に表示すると共に、当該調光制御情報に応じて調光ガラス３１０の調光制御を行うことができる。
【０１４０】
これにより、調光ガラス３１０を通じて透過型ディスプレイ３０６に入射する外光を適切に制御し、透過型ディスプレイ３０６に表示される案内情報を使用者が良好に視認できるように提供することができる。また、サーバー１Ａと表示端末３Ｃとからなるコンテンツ表示装置であるナビゲーション装置においても、同様の制御を行うようにして同様の効果を得ることができる。
【０１４１】
［変形例］
このように、透過型ディスプレイ３０６に表示される案内情報（コンテンツ）などに応じて、調光ガラス３１０における調光制御を行うか否か、また、光の透過率をどの程度にするかを予め決めておき、これに応じて制御することができる。例えば、透過して見える景色などに関する案内情報を表示する場合には、光の透過率を決められた透過率として、景色などを見える状態で案内情報を表示するようにする。また、広告情報や過去のその場所の景色の再現情報といった現実の外の景色が見えないようにして提供すべきコンテンツを表示する場合には。光の透過率を０％にして、景色などが見えない状態でコンテンツ報を表示するようにする。このように、表示対象のコンテンツの内容に応じて、調光ガラスの光の透過率を制御するようにしてもよい。
【０１４２】
そして、更に、光の透過率を０％以外の値に制御する場合には、現在位置、現在時刻、外光強度（照度）、移動速度、表示端末３Ａの向き、気象情報といった外的要因に関する情報を考慮して、光の透過率を決定するようにしてもよい。
【０１４３】
また、上述した実施の形態では、調光ガラス３１０を６分割したり、３分割したりして、その分割領域単位に光の透過率を制御できることを説明したたが、これに限るものではない。調光ガラス３１０の分割領域の数や形状は適宜のものとすることができる。すなわち、調光ガラス３１０は、制御可能であることを条件に、想定される案内情報の表示位置や表示態様に応じて、分割領域の形状や数を決めることができる。
【０１４４】
また、上述した実施の形態においては、サーバー１と表示端末３Ａあるいは表示端末３Ｂとは、ＩｏＴプラットホーム２を通じて接続されるものとして説明したが、これに限るものではない。サーバー１を列車４に搭載し、サーバー１と表示端末３Ａあるいは表示端末３Ｂとを専用線で接続するように構成することもできる。この場合において、表示端末３Ｂを用い場合には、列車４内に接続用プラグを設け有線接続可能にしたり、Ｗｉ−Ｆｉ（登録商標）規格のアクセスポイントを設けて無線接続したりすることができる。また、列車４に搭載されたサーバー１がＩｏＴプラットホーム２に接続可能にしておくことにより、外部の種々のサーバーにある情報の利用も可能になる。
【０１４５】
また、上述した実施の形態においては、サーバー１と表示端末３Ａあるいは表示端末３Ｂによりコンテンツ表示装置を構成するものとして説明したが、これに限るものではない。サーバー１の機能と表示端末３Ａ、３Ｂの機能とを合わせ持つ１台のコンテンツ表示装置を構成することもできる。同様に、サーバー１Ａと表示端末３Ｃの機能とを合わせ持つ１台のナビゲーション装置（コンテンツ表示装置）を構成することもできる。
【０１４６】
また、上述した実施の形態では、透過型ディスプレイ３０６への外光の入射を制御する手段として調光ガラス３１０を用いるようにしたが、これに限るものではない。調光フィルムや調光シートと呼ばれる薄型の調光手段を用いたり、また、機械式のシャッターを設けて、その開閉状態に応じて、透過型ディスプレイ３０６への光の入射量を制御するようにしたりしてもよい。
【０１４７】
また、照度と同様に、輝度についても、窓近傍や表示端末３Ｂに設ける輝度センサを設けることにより検出が可能である。また、列車内部の明るさは列車内に設けられた照度センサや輝度センサから取得するようにすればよい。
【０１４８】
また、上述した実施の形態において、表示装置３Ａは列車などの移動体の窓Ｗに対応して設けられるものとして説明したが、これに限るものではない。例えば、ホテル等の移動することのない建物の窓に対して表示装置３Ａを設けることもできる。この場合には、表示装置３Ａの現在位置が変化することはないが、時間帯や季節や気象条件などにより、建物の窓への日光の当たり方や入射する光量は変化する。このため、時間帯や季節や気象条件などに応じて、適切に調光制御を行うようにして、窓に設けられる透過型ディスプレイを通じて、景色に関する情報などを明瞭に提供することができる。
【０１４９】
なお、景色に関する情報は、現実に見えている景色に関する情報、気象条件などが悪く現在は見えないが、本来なら見える景色に関する情報、元々見えないが、目的とする地物がある方向を示す情報など、種々の情報が含まれる。また、景色に関する情報だけでなく、観光地情報、広告情報、テレビ番組や映画等、種々の映像コンテンツを提供することも、上述した表示端末３Ａ、３Ｂと同様に行うことができる。
【０１５０】
［その他］
なお、上述した実施の形態の説明からも分かるように、請求項における透過型表示手段、表示制御手段の各機能は、実施の形態の表示端末３Ａ、３Ｂ、３Ｃの透過型ディスプレイ３０６、ディスプレイコントローラ３０５が実現している。また、請求項における調光手段、調光制御手段の各機能は、実施の形態の表示端末３Ａ、３Ｂ、３Ｃの調光ガラス３１０、調光ガラスコントローラ３０９が実現している。また、請求項における制御情報生成手段の機能は、実施の形態のサーバー１の調光制御情報生成部１１６が実現している。
【０１５１】
また、請求項における取得手段の機能は、表示端末３Ａ、３Ｂ、３Ｃのカメラ部３１３、照度センサ３１５、ＧＰＳアンテナ３１７Ａ及びＧＰＳ部３１７、センサ部３１８、時計回路３１９、サーバー１の通信Ｉ／Ｆ１０１、制御部１０２が実現している。
【０１５２】
また、上述した実施の形態のサーバー１と表示端末３Ａ、３Ｂにおいて、また、サーバー１Ａと表示端末３Ｃにおいて行われる調光制御の方法が、この発明の調光制御方法である。具体的に、サーバー１Ａと表示端末３Ｃにおいて行われる調光制御の方法が、表示されるコンテンツに応じて、調光手段を制御するものである。また、サーバー１と表示端末３Ａ、３Ｂにおいて行われる調光制御の方法が、表示対象のコンテンツに加えて外的要因に関する情報を考慮して、調光手段を制御するものである。
【符号の説明】
【０１５３】
１、１Ａ…情報提供サービスサーバー装置、１０１…通信Ｉ／Ｆ、１０２…制御部、１０３…記憶装置、１０４…地図ＤＢ、１０５…施設ＤＢ、１０６…景色画像ＤＢ、１０７…地域情報ＤＢ、１０８…翻訳辞書ＤＢ、１０９…窓方向判別部、１１０…撮影画像特徴抽出部、１１１…地物検出部、１１２…案内情報生成部、１１３…指示入力情報抽出部、１１４…個別対応情報生成部、１１５…翻訳処理部、１１６…調光制御情報生成部、２…ＩｏＴプラットホーム、３、３Ａ、３Ｂ、３Ｃ…表示端末、３０１Ａ…送受信アンテナ、３０１…無線通信部、３０２…制御部、３０３…記憶装置、３０４…近距離無線通信部、３０４Ａ…近距離無線通信アンテナ、３０５…ディスプレイコントローラ、３０６…透過型ディスプレイ、３０７…タッチセンサ、３０８…ポート、３０９…調光ガラスコントローラ、３１０…調光ガラス、３１１…音声処理部、３１２…音声出力端子、３１３…カメラ部、３１４…ポート、３１５…照度センサ、３１６…ポート、３１７…ＧＰＳ部、３１７Ａ…ＧＰＳアンテナ、３１８…センサ部、３１９…時計回路、４…列車、５…気象情報サーバー、６…交通情報サーバー
【図１】
2019184962.tif 000003
【図２】
2019184962.tif 000004
【図３】
2019184962.tif 000005
【図４】
2019184962.tif 000006
【図５】
2019184962.tif 000007
【図６】
2019184962.tif 000008
【図７】
2019184962.tif 000009
【図８】
2019184962.tif 000010
【図９】
2019184962.tif 000011
【図１０】
2019184962.tif 000012
【図１１】
2019184962.tif 000013
【図１２】
2019184962.tif 000014
【図１３】
2019184962.tif 000015